(57)【特許請求の範囲】
【請求項１】
通帳を開いた状態で嵌合させる凹部と、該凹部に装着された前記通帳の浮き上がりを規制するための突起部を設けた通帳印刷用アダプタであって、
前記凹部は、中央部に段差を有し、前記通帳の印刷されるべき表紙部が嵌合する前記凹部の厚みは該表紙部１枚分に設定されることを特徴とする通帳印刷用アダプタ。
【請求項２】
前記通帳の前記表紙部以外の部位が嵌合する前記凹部の厚みは該部位の厚さ分に設定されることを特徴とする請求項１記載の通帳印刷用アダプタ。
【請求項３】
請求項１または２記載の通帳印刷用アダプタを受け入れるプリンタと、
該プリンタに接続して印刷情報を送信する上位装置とを配し、該上位装置は情報記録媒体から印刷情報を読み取り、前記プリンタに印刷出力する通帳印刷システムにおいて、
読み取った印刷情報を表示する表示部と、該印刷情報を編集するための操作部と、
前記印刷情報を編集するための編集プログラムを格納した記憶部を設け、前記プリンタに受け入れた通帳に、前記編集した情報を出力することを特徴とする通帳印刷システム。
【発明の詳細な説明】
【技術分野】
【０００１】
本発明は金融機関で使用される通帳の表紙、あるいは表紙裏等に顧客が希望する画像を形成できる通帳印刷用アダプタ及びそれを使用する通帳印刷システムに関する。
【背景技術】
【０００２】
銀行等の金融機関で広く用いられる自動取引装置で、顧客に対して通帳を発行することができる通帳発行機能を備え、顧客が持参した写真やイラスト等の画像をイメージスキャナで読み取り、通帳の表紙にカラー印刷して発行するものがある。（例えば、特許文献１参照）。
また、一般的な民生用にパーソナルコンピュータが普及し、かつ安価なカラープリンタも入手できる。更にパーソナルコンピュータで作成した資料やデジタルカメラの撮影画像等をコンパクトディスク媒体に記憶することが可能であり、このコンパクトディスク媒体の識別(管理)目的として、前記カラープリンタを利用して表面に情報印刷する。しかしながら、コンパクトディスク媒体は剛体（非可撓性）であるため、湾曲搬送できず専用のコンパクトディスクトレーを利用して印刷している（例えば、特許文献２参照）。
【０００３】
コンパクトディスク（光ディスク）への印刷については、光ディスクがセット可能な凹部を設けた搬送用トレイがある。この凹部は、ドーナツ形状の１２ｃｍ光ディスク用と８ｃｍ光ディスク用、更には長方形状をなすカードサイズ光ディスク用があり、この凹部には光ディスク有無検出用の反射板が設けられている。また、搬送用トレイは全体が黒色で、反射板は普通紙とほほ同じ反射率を有する白色となっている。この反射板をセンサで検出することにより光ディスクがセットされているか否かを検出する技術もある（例えば、特許文献３参照）。
【特許文献１】特開２０００−１３２７３０号公報（段落００１８、００２７）
【特許文献２】特開２００３−１１２４５８号公報（段落００２２、００２３、図７）
【特許文献３】特開２００４−９６９９号公報（段落００４９、００５６、００６１）
【発明の開示】
【発明が解決しようとする課題】
【０００４】
上記従来技術において、自動取引装置で通帳の表紙にカラー印刷するために、装置内にカラー印刷機能を保有させることになる。しかしながら、通帳への印字の多くは「黒色文字」印刷で十分なことと、表紙等にカラー印刷するとしても通帳発行頻度の低さ等からカラー印刷機能を付加させていないのが実情である。更に、カラー印刷機能を付加させると装置の大型化となり採用は進んでいないのが現実である。
剛体（非可撓性）であるコンパクトディスク媒体（光ディスク）で、ドーナツ形状の光ディスクと長方形状をなすカードサイズ光ディスクへの印刷も可能なトレイがある。特に、ドーナツ形状の光ディスクは中央の嵌合穴でトレイに対する挿入位置は決定され、長方形状をなすカードサイズ光ディスクであっても、中央の嵌合穴でセット位置が決まる。しかしながら、中央に嵌合穴を有しない通帳という冊子形状を有する媒体は考慮されていない。
本発明は、このような課題に対して発明されたものであって、安価な設備にて通帳に顧客の希望する絵柄等の情報を印刷できる通帳印刷用アダプタ及びそれを使用する通帳印刷システムを提供することを目的とする。
【課題を解決するための手段】
【０００５】
上記課題を解決するために本発明は、印刷されるべき通帳を嵌合させる凹部と、該凹部に装着された前記通帳の浮き上がりを規制するための突起部を、前記凹部の少なくとも一側端面に有する通帳印刷用アダプタを受け入れるプリンタと、該プリンタに接続して印刷情報を送信する上位装置とを配し、該上位装置は情報記録媒体から印刷情報を読み取り、前記プリンタに印刷出力する通帳印刷システムにおいて、
読み取った印刷情報を表示する表示部と、該印刷情報を編集するための操作部と、前記印刷情報を編集するための編集プログラムを格納した記憶部を設け、前記プリンタに受け入れた通帳に、前記編集した情報を出力する。
【発明の効果】
【０００６】
本願発明は、安価な設備にて通帳に顧客の希望する絵柄等の情報を印刷することができるという効果がある。
【発明を実施するための最良の形態】
【０００７】
以下、図面に従って実施例を説明する。図１は本発明の通帳印刷システムに用いる通帳印刷用アダプタの使用概念図であり、図２は本発明の通帳印刷システムの概念図である。
図において、１は通帳印刷用アダプタ（以後、単にアダプタと称する）であり、２は金融機関が管理し維持する上位装置としてのパーソナルコンピュータ(以後、パソコンと称する)であり、処理すべき情報の入力を行うキーボード部２１、情報を表示する液晶カラーディスプレイ(以後、表示部と称する)２２および制御部２３により構成される。なお、このパソコン２には外部装置との接続口を有し、例えばイメージスキャナ３や後述するプリンタ４が接続され、更には外部の情報記録媒体５の挿入を受けて、その情報記録媒体５内に電子的に格納されている情報を読み出すことができる。また、制御部２３には記憶部２３１があり、画像を編集するための編集プログラムや、プリンタ４からの印刷終了信号を受信したのち、アダプタ１の排出開始までの時間情報を記憶している。この排出開始までの時間設定はキーボード部２１から事前に設定入力したものとする。
【０００８】
イメージスキャナ３は写真５ａに対して、カラーイメージ読取を行うものであり、４はパソコン２と回線接続された前述のプリンタであって、所定の操作により文字情報やイメージ情報を印刷出力できる。このプリンタ４の印刷方式としては、インクジェット方式または熱転写方式であっても良いが、被印刷媒体として光ディスクへの印刷が可能な水平搬送方式とする。また、イメージスキャナ３とプリンタ４を動作させるためのプログラム等はプリンタ４内及びパソコン２内に予めローデングしてあるものとするが、イメージスキャナ機能とプリンタ機能、更には情報記録媒体５から直接的に情報を取り込める多機能プリンタであってもよく、且つ、広く市販されているものでよい。
なお、本実施例では説明するプリンタ４の印刷ヘッド４３には、アダプタ１外への印刷を避けるための反射センサ４２を有すると共に、印刷ヘッド４３の待機位置においてはアダプタ１の先端通過を検出できることとする。
【０００９】
図１はアダプタの一例をで、図１（ａ）は平面図であり、図１（ｂ）は図１（ａ）におけるＡＡ断面図である。
アダプタ１の基材はポリエチレンテレフタレートやポリカーボネート等のプラスチックであり、外形はＡ４サイズ（横２１０ｍｍ、縦２９７ｍｍ）、厚さ３ｍｍ程度である。なお、使用するプリンタに応じて外形サイズは適宜決定できることは言うまでもない。
Ｐは印刷される通帳であって、図１（ａ）では閉じられた状態を示し上方が綴部Ｐｂになり、下方には開いたときに四隅に存在するコーナＲが位置する。図１（ｂ）に示す１１は凹部であり、アダプタ１の表面から略閉通帳の全厚に相当する深さ（例えば、２ｍｍ程度）を有し、閉通帳サイズ（例えば、横幅１４０ｍｍ、縦幅８７．５ｍｍ）に隙間(例えば、０．５ｍｍ)を加えた大きさである。なお、図示するように下方は通帳ＰのコーナＲと同様のＲ（アール）形状をしている。このコーナＲを設けることにより、通帳Ｐの装着方向の案内としているので、誤りを気づかせることができる。
【００１０】
１２は通帳Ｐの横幅方向に設けられた突起部であって、凹部１１の端面より１ｍｍ程度が凹部１１側に突出している。なお、図１（ｂ）に示す例では、アダプタ１の表面から０．５ｍｍ程度の厚さを有する金属板を固着した場合の例であり、通帳Ｐの浮き上がりを規制している。
１３は通帳取外し用の切欠部であり、例えば半円形の凹部となっている。この切欠部１３は通帳Ｐに印刷される印刷絵柄Ｐａの位置から離れた位置とすることで、印刷後の通帳取り出し時に印刷絵柄Ｐａに触れないようにして、インクの乾きがやや不十分なときでも、触手による汚れを防ぐことができる。
１４はアダプタ１のプリンタ４の受け入れ方向を目視誘導するための指示マークであって、矢印や文字情報や図示情報としてアダプタ表面に表示されている。
【００１１】
図３は本発明の通帳印刷用アダプタにおける他の一例を示す斜視図であり、図４は図３のＢＢ断面図である。図示するように、突起部１２を本体と一体成型しており、図４に示すように通帳Ｐの横端部が導かれる逃げ部１５を設けてある。
このような形状とすると通帳Ｐの両端部を少量変形させることになるが、印刷絵柄Ｐａの印刷範囲外であれば、問題はない。また、成型にあたっては指示マーク１４や文字情報や図示情報を含めて一体成型することは言うまでも無く、更には、後述する他用途用の凹部までを成型することができる。
【００１２】
次に、図１に示す本発明の動作フローチャートにより説明する。なお、リムーバブル媒体としてＵＳＢメモリー、光ディスクまたはデジタルカメラそのものからの画像読み出しも可能であるが、通帳Ｐに印刷する画像情報として「カラー写真」が持込まれた場合を説明する。また、Ｓは動作ステップを意味する。
Ｓ１. 金融機関の窓口で新通帳の発行処理が行われると、テラーが通帳Ｐを手にして、顧客を呼び出す。また、自動取引装置（ＡＴＭ）が通帳発行する場合には、通帳表紙に写真プリントするサービス案内表示をする。
【００１３】
Ｓ２. 通帳Ｐを手にしたテラーは、顧客に対して通帳表紙への画像印刷を希望するか否かを口頭にて確認する。ここで、顧客が不要である旨を選択した場合や、写真や情報記録媒体を所有していない場合には、後日でも可能である旨を告げ、最終ステップに進める。
Ｓ３. 顧客が写真５ａを提示して表紙への印刷を希望すると、テラーはパソコン２およびイメージスキャナ３、更にはプリンタ４を起動させて、まず、イメージスキャナ３により写真５ａのイメージデータをパソコン２に取り込む操作を行う。なお、これらのイメージ画像の取り込み操作はパソコン２からの指示で動作するが、イメージスキャナ３側からでもよい。
Ｓ４. 制御部２３により、画像取り込みが終了すると表示部２２に取り込んだイメージ画像がカラー表示される。
【００１４】
Ｓ５. 表示されたイメージ画像に対して編集希望を問診する。即ち、顧客に対して画像の拡大や部分切り出し、更には配色(色相、色彩等)を修正するか、又は似顔絵に書き換えるかなどをと問う。なお、画像修正する必要が無ければステップＳ７に進める。
Ｓ６. テラー操作により顧客が希望する画像になるようにイメージ画像に修正を加える。これらの画像修正機能は汎用カラープリンタ等で周知であるので、細部の説明は省略する。
【００１５】
Ｓ７. テラーはアダプタ１を取り出して、通帳Ｐを図３に示す矢印Ｃ方向から凹部１１内に嵌め込む。このとき、左右の突起部１２の下側に通帳左右端が導かれるようにする。
Ｓ８. テラーは、凹部１１に通帳Ｐが嵌め込まれたアダプタ１をプリンタ４に装着するとともに、プリンタ４に情報（ここでは画像情報となる）の印刷指示を発信する。
Ｓ９. プリンタ４は印刷命令を受信すると、印刷情報を図示しない記憶部４１に格納する共にアダプタ１の吸入搬送を開始する。この吸入搬送時には、アダプタ１の先端１ａを図示しない光学的検知手段としての反射センサ４２で検出して、搬送管理される。
Ｓ１０. プリンタ４は印刷開始位置まで搬送すると、図示しない印刷ヘッド４３を移動させる。この移動時に印刷面からの反射光量を検出する。通帳Ｐが装着されていると通帳表面からの反射光量が多くなるが通帳Ｐが装着されていない場合には凹部(黒色)からの反射光量が少なくなる。したがって、反射光量が所定の閾値以下のときには通帳未装着としてステップＳ１２に進める。
【００１６】
Ｓ１１. 通帳Ｐの装着有りが確認されると、記憶部４１に格納した印刷情報の出力を開始する。プリンタ４は所定のカラーレベルに応じて印刷ヘッド４３に配してあるカラーインクのノズルを制御してカラー印刷する。
Ｓ１２. ステップＳ１０にて、通帳未装着を検出したプリンタ４はパソコン２に対して媒体確認要求を送信する。パソコン２の表示部２２に表示される不具合表示を解消するようテラーは操作する。
Ｓ１３．通帳Ｐへの印刷が終了すると、プリンタ４はパソコン２に対して印刷終了信号を送信する。制御部２３は記憶部２３１から排出待ち時間情報を読み出して、当該時間が経過したらアダプタ１の排出指示を出す。プリンタ４はこの排出指示を受けるとアダプタ１を自動的に排出する。
このように、アダプタ１の排出時間は通帳表紙の材質とインクの相性による定着性や速乾性により、適宜決めればよいので都合がよい。
【００１７】
Ｓ１４. 排出されたアダプタ１をプリンタ４から取り出す。続けて、通帳Ｐを矢印Ｄ方向に引き抜いて、印刷良否を目視確認する。
Ｓ１５. 印刷状況が良好であれば、顧客に通帳Ｐを返却する。この時、預かっている写真５ａを同時に返却することは言うまでもない。テラーがキーボード部２１より、処理終了を意味する入力を行うと、制御部２３は印刷情報(画像)を消去して、パソコン２を待機状態にする。
以上の説明は通帳発行時に情報記録媒体や写真の提示を受けて、通帳印刷を施したがこれに限定されない。即ち、キャラクタ画像情報等を予めパソコンに常時接続してある情報記録媒体に格納しておき、顧客が希望するキャラクタ等の選択、編集、印刷とすることもできる。また、画像利用情報を情報記録媒体に履歴として記録しても良い。
【００１８】
次に、アダプタの他の実施の形態例を説明する。図６は通帳印刷アダプタの他の実施の形態例を示す説明図であって、図６（ａ）は開いた状態の通帳用と閉じた通帳用を兼用する場合の凹部１１２であって、図示するように閉じた状態の通帳Ｐを突起部１２で保持でき、開いた状態の通帳Ｐの場合には図６（ｂ）のように嵌め込むことになる。なお、図６（ｂ）に示す状態は、通帳Ｐの表紙見返しページへの印刷を想定している。この部分への印刷としては、印影を表現しない印鑑そのものの外観画像とすれば、届出印影を忘れても印鑑自身を特定できることになる。
通帳Ｐは説明するまでもなく、表紙と中紙（中用紙とも呼ぶ）を綴じ合わせてある。特に近時では中紙枚数が７枚というものが普及している。従って、閉じた状態（２つ折り状態）では、全厚が２ｍｍ程度となり、凹部１１１の深さも前述した通り２ｍｍ程度であるので、表紙見返しページへの印刷は中紙枚数の多い通帳にはやや不向きとなる。
【００１９】
図６（ｃ）には、アダプタ１の表面（又は裏面）に開いた通帳用の凹部１１２を設け、裏面(又は表面)には、閉じた通帳用の凹部１１３を設けたものを示している。図６（ｄ）が図６（ｃ）に示すＥＥ断面図である。このように表裏両面を使用して通帳Ｐへの印刷を可能とすると、図６（ａ）で示した同一箇所で兼用する場合に比べて端面の全てを規制できるので通帳Ｐの嵌め込みずれを防止できる。なお、開いた通帳用の凹部１１２は中央部に段差が設けられ、表紙１枚の厚さに適合させてある。
本形態例のように両面に凹部１１２，１１３を設けるときには、アダプタ１の厚さを４ｍｍ程度とするが、相互の凹部１１２，１１３の一部分であれば貫通穴としても良い。
【００２０】
図６（ｅ）には、通帳Ｐ以外にドーナツ形状の光ディスクと長方形状をなすカードサイズ光ディスクへの印刷も可能とするため、光ディスク用の凹部１１４とカードサイズ用の凹部１１５を有するものである。このような形態とすれば、顧客が持ち込んだ光ディスク媒体は言うまでも無く、金融機関内で使用する光ディスク媒体への印刷もできる。なお、図示するように、各種媒体用の凹部の一部分が重なるようにすると、当該媒体の取外し時の指掛けとして利用でき、先の実施例の切欠部１３と同様な機能を生じさせることができる。
【００２１】
最後に図６（ｆ）について説明する。
通帳の多くには裏表紙に磁気ストライプＭＳが設けられていて、口座情報等が磁気記録されている。この磁気ストライプＭＳ部への印刷は避けなければならないが、その他の領域は表表紙側と同様に印刷してもよい。例えば、通帳Ｐの中央ページを開いて、表紙側を上側にして嵌め込み、綴部Ｐｂの上下にそれぞれ印刷してもよい。なお、このような利用を可能とするには、印刷画像の上下反転や印刷位置の配慮が必要となることは言うまでもない。
【産業上の利用可能性】
【００２２】
本発明の技術思想は上記に限定されない。即ち、上記実施例では通帳を突起部の下側に嵌め込むようにしたが、凹部端面（板厚方向）から、弾性部材で、通帳を横方向に押し付けての固定でも良いし、基材自身をプラスチッツクに限定することなく弾性部材で製作してもよいし、紙製であってもよい。
また、通帳表紙には顧客が持ち込んだ画像情報を印刷することにしたが、顧客氏名や口座番号等の情報をカラー印刷するようにしても良い。
【図面の簡単な説明】
【００２３】
【図１】本発明の通帳印刷用アダプタの使用概念図である。
【図２】本発明の通帳印刷システムの概念図である。
【図３】本発明の通帳印刷用アダプタにおける他の一例を示す斜視図である。
【図４】図３のＢＢ断面図である。
【図５】本発明の動作フローチャートである。
【図６】本発明の通帳印刷用アダプタの他の形態例を示す説明図である。
【符号の説明】
【００２４】
１    通帳印刷用アダプタ(アダプタ)
２    上位装置（パーソナルコンピュータ、パソコン）
４    プリンタ
５    情報記録媒体
５ａ  写真
１１  凹部
１２  突起部
１３  切欠部
１１２  閉通帳用の凹部
１１３  開通帳用の凹部
１１４  光ディスク用の凹部
１１５  カードサイズ用の凹部
Ｐ  通帳
Ｐａ  印刷絵柄
Ｐｂ  綴部
【図１】
0004826283.tif 000002
【図２】
0004826283.tif 000003
【図３】
0004826283.tif 000004
【図４】
0004826283.tif 000005
【図５】
0004826283.tif 000006
【図６】
0004826283.tif 000007